(57)【要約】      （修正有）【課題】主収納部の上部に位置する開口部を補強するランドセルを提供する。【解決手段】ランドセル１を構成する主収納部４の上方に設けた開口部５に取付ける補強芯板１５は、左右大マチ部６の側面上方から前板部７側にわたって取付ける硬質合成樹脂材からなる一対のマチ補強片１６と、前板部７の上方に取付ける硬質合成樹脂材からなる偏平な前板補強片３５とからなることを特徴とする。【選択図】図１
0003200688.tif 000002
【実用新案登録請求の範囲】
【請求項１】
ランドセル（１）を構成する主収納部（４）の上方に設けた開口部（５）に取付ける補強芯板（１５）は、左右大マチ部（６、６）の側面上方から前板部（７）側にわたって取付ける硬質合成樹脂材からなる一対のマチ補強片（１６、１６）と、前記前板部（７）の上方に取付ける硬質合成樹脂材からなる偏平な前板補強片（３５）とからなることを特徴とするランドセル。
【請求項２】
前記マチ補強片（１６）は、大マチ部（６）の上方に位置する側面板部（１７）と、該側面板部の一端で背板（３）の端部に位置するコバ部（２０）と、前記側面板部（１７）の他端で前板部（７）側に折り曲げて位置する前側板部（２５）とをそれぞれ一体に形成してなることを特徴とする請求項１記載のランドセル。
【請求項３】
前記マチ補強片（１６）のコバ部（２０）は、表面側に段部（２１）を介して薄手に形成し、該段部の裏面側で垂直方向にコバ溝部（２２）を設け、該コバ溝部の対向する両壁面または片側壁面（２３）を鈍角に形成してなることを特徴とする請求項２記載のランドセル。
【請求項４】
前記マチ補強片（１６）の側面板部（１７）は、該側面板部と前側板部（２５）との間に少なくとも一以上の凹溝部（３１）からなる折曲溝部（３０）を形成し、前記凹溝部（３１）の対向する両壁面または片側壁面（３２）を鈍角に形成して前記前側板部（２５）を内側方向に折曲可能に形成してなることを特徴とする請求項２記載のランドセル。
【請求項５】
前記側面板部（１７）は、上下幅を広くして表面側に肉厚部（１８）を設け、該肉厚部の裏面に複数の補強リブ部（１９）を水平方向に設けてなることを特徴とする請求項２または４記載のランドセル。
【請求項６】
前記マチ補強片（１６）は、ランドセル（１）の主収納部（４）の左右大マチ部（６、６）に位置する側面板部（１７）を覆う表地（４０）に任意形状の図形を表記する装飾部（３８）を設けてなることを特徴とする請求項１記載のランドセル。
【請求項７】
前記前板補強片（３５）は、ランドセル（１）の主収納部（４）を構成する前板部（７）に位置し、該前板部と縫着固定する薄手な縫代部（３６）を前板補強片（３５）の上方で一体に形成し、該縫代部の上縁を前記前板部（７）の稜線形状に合わせて中央を低く両側を高くなるように緩やかに湾曲させてなることを特徴とする請求項１記載のランドセル。
【考案の詳細な説明】
【技術分野】
【０００１】
本考案は、ランドセルを構成する主収納部の上部に位置する開口部を補強するために取付ける補強枠の改良に関する。
【背景技術】
【０００２】
従来、ランドセルは、体力のない小さな小学１年生から成長著しい大きな小学６年生までの６年間使用できるようにさまざまな工夫がなされており、特にランドセルの主要部分である教科書やノートなどを収容する主収納部の広さは、従来のＢ５判（高さ２５７ｍｍ、幅１８２ｍｍ）から、現在販売されているランドセルの多くは、Ａ４判サイズの教材や書類などが問題なく収容できる大きさ、内幅がＡ４判サイズの紙をそのまま収容することができる横幅（２１０ｍｍ）に形成してある。
【０００３】
一方、ランドセルの主収納部の構成は、底面部の両側を垂直に折り曲げてコ字形に形成したマチ板部と、背面側に取付ける背板と、正面側に取付ける前仕切板とからなり、上方に教科書やノートなどを出し入れする方形に形成した開口部を設けてある。前記開口部周縁は、背板を除き薄手に形成してあるため強度が弱く、型崩れや変形を起こしやすい。そのため、開口部周縁に合成樹脂材または金属材などからなる各種補強板を取付けて型崩れや変形するのを防止するランドセルが知られている（特許文献１、２）。
【先行技術文献】
【特許文献】
【０００４】
【特許文献１】特開昭６０−１２２５０５号
【特許文献２】特開平０８−１５０００５号
【０００５】
しかし、学校からの連絡書類や行事日程表などは、一枚のＡ４判サイズの用紙で渡される場合が多く、学童は前記したごとく、その用紙を教科書の間に挟んだり、二つ折りにして仕舞うことなどが多いため、教科書の間に紛れたり、破損して読みにくくなったりして保護者に大切な情報が伝わらない恐れがある。  
【０００６】
そのため、前記した連絡書類の汚れや紛失、しわによる破損などを防止するため、一般にクリアファイルと呼ばれる合成樹脂材により形成された文具に挟んでランドセルに収納して持ち運ぶことが行われている。
【０００７】
このクリアファイルはＡ４判の用紙を収納するためＡ４判の用紙より一回り大きいサイズ（高さ３１０ｍｍ、幅２２０ｍｍ）が一般的である。そのため、前記したランドセルの主収容室の横幅（２１０ｍｍ）では、そのままクリアファイルを収容することができないので、ランドセルの主収納部の内部横幅をさらに広げた幅（２２０ｍｍ）のランドセルが主流とされている。
【考案の概要】
【考案が解決しようとする課題】
【０００８】
そのため、ランドセルは主収納部の横幅がさらに広くなったことで、開口部の強度が弱くなること、主収納部のサイズが変わるたびに開口部を補強する補強片のサイズを変更したり、または、主収納部のサイズごとに補強片を用意するのは材料費が嵩み大変不経済となる。そこで、主収納部の開口部に取付けた補強片を分割して形成し、どのサイズのランドセルにも適応することができると共に、マチ部分の上下幅を長くすることにより、開口部の強度を強化して開口部全体の変形を防止することを目的とする。
【課題を解決するための手段】
【０００９】
本考案は、上記課題を達成するため、ランドセル１を構成する主収納部４の上方に設けた開口部５に取付ける補強芯板１５は、左右大マチ部６、６の側面上方から前板部７側にわたって取付ける硬質合成樹脂材からなる一対のマチ補強片１６、１６と、前記前板部７の上方に取付ける硬質合成樹脂材からなる偏平な前板補強片３５とからなることを特徴とする。また、前記マチ補強片１６は、大マチ部６の上方に位置する側面板部１７と、該側面板部の一端で背板３の端部に位置するコバ部２０と、前記側面板部１７の他端で前板部７側に折り曲げて位置する前側板部２５とをそれぞれ一体に形成してなることを特徴とする。さらに、前記マチ補強片１６に設けたコバ部２０は、表面側に段部２１を介して薄手に形成し、該段部の裏面側で垂直方向にコバ溝部２２を設け、該コバ溝部の対向する壁面または片側壁面２３を鈍角に形成してなることを特徴とする。さらにはまた、前記マチ補強片１６の側面板部１７は、該側面板部と前側板部２５との間に少なくとも一以上の凹溝部３１からなる折曲溝部３０を形成し、前記凹溝部３１の対向する壁面または片側壁面３２を鈍角に形成して前記前側板部２５を内側方向に折曲可能に形成してなることを特徴とする。また、前記側面板部１７は、上下幅を広くして表面側に肉厚部１８を設け、該肉厚部の裏面に複数の補強リブ部１９を水平方向に設けてなることを特徴とする。さらに、前記マチ補強片１６は、ランドセル１の主収納部４の左右大マチ部６、６に位置する側面板部１７を覆う表地４０に任意形状の図形を表記する装飾部３８を設けてなることを特徴とする。さらにはまた、前記前板補強片３５は、ランドセル１の主収納部４を構成する前板部７に位置し、該前板部の上縁と縫着固定する薄手な縫代部３６を前板補強片３５の上方で一体に形成し、該縫代部の上縁を前記前板部７の稜線形状に合わせて中央を低く両側を高くなるように緩やかに湾曲させてなることを特徴とする。
【００１０】
したがって、ランドセル１の主収納部４に設けた開口部５の大マチ部６に位置する硬質合成樹脂材からなる一対のマチ補強片１６と、前板部７に位置する前板補強片３５とからなる補強芯板１５を介在させて補強することにより、開口部５の変形や型崩れを防止することができる。また、前記補強芯板１５を一対のマチ補強片１６と前板補強片３５とに三分割することにより、ランドセルが従来型の１１０〜１２０ｍｍからいわゆるワイドランドセルの１３０ｍｍ幅のランドセルに使用することができるので、サイズごとに補強片を揃える必要がなく部品点数を少なくすることができるので経済的である。さらに、マチ補強片１６の一端にコバ溝部２２を介してコバ部２０を背板側に折り曲げ可能に形成し、側面板部１７の他端には複数の凹溝部３１からなる折曲溝部３０を介して前側板部２５を内側に折り曲げ可能に一体に形成したことにより、マチ補強片１６を容易に変形させて開口部５に取付けることができ、作業効率の向上を図ることができる。さらにはまた、前記マチ補強片１６の側面板部１７は、上下幅を広くすることにより、大マチ部６の強度を強化すると共に、側面板部１７の表地４０にバリエーションに富んだ任意形状の模様を有する装飾部３８を設けて、他のランドセルとの差別化を図り、消費者の購買意欲を増進させることができる。
【図面の簡単な説明】
【００１１】
【図１】本考案にかかるランドセルの斜視図である。
【図２】主収納部の開口部拡大断面図である。
【図３】補強芯板の斜視図である。
【図４】マチ補強片の正面図である。
【図５】図４のＡ―Ａ線拡大断面図である。
【図６】マチ補強片の背面図である。
【図７】マチ補強片の平面図である。
【図８】図７のＰ丸部分の拡大図である。
【図９】図８のＱ丸部分の拡大図である。
【図１０】図７のＲ丸部分の拡大図である。
【図１１】図１０のＳ丸部分の拡大図である。
【図１２】前板補強片の正面図である。
【図１３】図１２のＢ―Ｂ線拡大断面図である。
【図１４】大マチ部分に位置した補強板片の表地に装飾を施した使用状態を示す側面図である。
【考案を実施するための形態】
【００１２】
本考案の実施の形態を図面に基づいて説明すると、図１は本考案にかかるランドセルの斜視図、図２は主収納部の開口部拡大断面図、図３は補強芯板の斜視図、図４はマチ補強片の正面図、図５は図４のＡ―Ａ線拡大断面図、図６はマチ補強片の背面図、図７はマチ補強片の平面図、図８は図７のＰ丸部分の拡大図、図９は図８のＱ丸部分の拡大図、図１０は図７のＲ丸部分の拡大図、図１１は図１０のＳ丸部分の拡大図、図１２は前板補強片の正面図ある。ランドセル１は、教科書を収納する主収納部４と、各種教材を収容する副収納部８と小物を収容する前ポケット９とからなるランドセル本体２と、前記ランドセル本体２の上面全体を覆う蓋板１０とランドセル本体を背負う背負ベルト（図示せず）とにより構成されている。
【００１３】
ランドセル本体２は、図１に示すごとく、主収納部４を構成する背板３や両側大マチ部６、６および前板部７を合成樹脂板またはボール紙に合成樹脂剤を含浸させたボード紙などの芯地で形成し、該芯地の表面に皮革または合成皮革からなる表地４０または裏地４１を接着して形成してある。
【００１４】
前記ボード紙からなる芯地により形成した主収納部４は、上方に設けた開口部５の周縁で大マチ部６、６の上方と前板部７の上方に補強芯板１５をそれぞれ取付けて開口部５の変形や歪みによる型崩れを防止している。
【００１５】
この補強芯板１５は、図３に示すごとく、薄手に形成した硬質合成樹脂板、例えば、ポリプロピレン樹脂材やポリエチレン樹脂材などにより形成し、それぞれ左右の大マチ部６、６に取付ける一対のマチ補強板片１６、１６と、前板部７に取付ける前板補強片３５とからなる。この開口部５に取付ける補強芯板１５を三分割して形成することにより、ランドセルが従来型の１１０〜１２０ｍｍからいわゆるワイドランドセルの１３０ｍｍ幅のランドセルに使用することができるので、サイズごとに補強片を揃える必要がなく部品点数を少なくすることができるので経済的である。
【００１６】
前記補強芯板１５を構成する一対のマチ補強片１６は、図３〜１０に示すごとく、大マチ部６に位置する側面板部１７と、背板３の端部に位置するコバ部２０と、前板部７に位置する前側板部２５をそれぞれ一体に形成してある。
【００１７】
さらに、前記マチ補強片１６は、図４、５に示すごとく、側面板部１７の上下幅を広くして表面側に肉厚部１８を形成し、上端稜線を大マチ部の上端形状に合わせて湾曲させて形成し、該側面板部の一端背板３側に設けたコバ部２０との間に、細幅の凹溝からなるコバ溝部２１を設け、該コバ溝部を変形させることによりコバ部２０を外側方向に折曲可能に形成してある。前記側面板部１７の他端に設けた前側板部２５は、該前側板部と側面板部１７との間に少なくとも一以上の細幅の凹溝部３１からなる折曲溝部３０を内側方向（前板部７側）に折曲可能に形成してある。
【００１８】
前記側面板部１７に設けた肉厚部１８は、図５、６に示すごとく、裏面に複数本の補強リブ部１９を水平方向に設けて肉厚部１８の強度を補強すると共に軽量化を図っている。
【００１９】
前記マチ補強片１６のコバ部２０は、図７〜９に示すごとく、表面側に段部２１を介して薄手に形成し、前記段部２１の裏面側で垂直方向にコバ溝部２２を設けることにより、硬質合成樹脂材で形成したコバ溝部２２の変形を容易にしてコバ部２０を外側方向への折り曲げをスムースにすることができる。
【００２０】
さらに、前記コバ部２０に設けたコバ溝部２２は、図９に示すごとく、対向する両壁面または片側壁面２３を直角またはやや開いた鈍角に形成してある。この壁面２３を鈍角に形成したことにより、コバ部２０を外側方向に折り曲げたときにコバ溝部２２が変形してコバ部２０をスムースに曲げることができる。
【００２１】
前記マチ補強片１６の裏面側で、側面板部１７と前側板部２５との間に設けた折曲溝部３０は、図７、１０、１１に示すごとく、少なくとも１以上、好ましくは、５〜６本の細幅の凹溝部３１を垂直方向に形成し、各凹溝部３１の対向する両壁面または片側壁面３２を直角またはやや開いた鈍角にそれぞれ形成してある。
【００２２】
前記折曲溝部３０の各凹溝部３１の壁面３２を鈍角に形成したことにより、図１０に示すごとく、折曲溝部３０を中心に前側板部２５を前板部７側に折り曲げたとき、各溝部背面側の肉厚を薄くしたこと、および片側壁面３２の開口部を鈍角にしたことにより各溝部がスムースに変形して折曲溝部３０を中心に曲げることができる。
【００２３】
また、折曲溝部３０の凹溝部３１を複数本設けたことにより、折り曲げ位置を自由に変化させることができる。大マチ部６の幅が従来型の１１０〜１２０ｍｍからいわゆるワイドランドセルの１３０ｍｍ幅であっても凹溝部３１の折り曲げ位置を変化させることができるので、ランドセルのサイズごとに補強片を揃える必要がなく部品点数を少なくすることができるので経済的である。
【００２４】
前記マチ補強片１６は、側面板部１７の上端稜線を大マチ部の上端形状に合わせて湾曲させて上下幅を最大７５０〜７８０ｍｍ幅に形成し、コバ部２０の上下幅を最大５５０〜５８０ｍｍ幅とし、前側板部２５の上下幅を最大２００〜２５０ｍｍ幅に形成してある。
【００２５】
前記マチ補強片１６は、図１４に示すごとく、主収納部４の左右大マチ部６、６に位置する側面板部１７を覆う表地４０に任意形状の図形を表記する装飾部３８を設けることにより、該側面板部の表地４０にバリエーションに富んだ任意形状の模様を施すことができる。したがって、他のランドセルとの差別化を図ることができるので、消費者の購買意欲を増進させることができる。
【００２６】
前記主収納部４の前板部７に取付ける前板補強片３５は、図１２、１３に示すごとく、上方に薄手の縫代部３６を形成し、該縫代部の上縁を前記前板部７の稜線形状に合わせて中央を低く両側を高くなるように緩やかに湾曲させて形成し、該前板補強片の両側と前記マチ補強片１６の前側板部２５を重ねて取付けることにより、前板部７の強度を補強し、開口部全体を枠状に補強することができるので、ランドセル本体２の前後方向や側面からの圧力や衝撃などに対し、耐久力を有するため変形や型崩れを防止することができる。
【００２７】
前記したごとく、補強芯板１５は、一対のマチ補強片１６を大マチ部６の上縁に沿ってそれぞれ表面側に接着し、接着は公知の接着剤、例えばホットメルトなどを主収納部４の両側大マチ部６に塗布し、またはマチ補強片１６の内側とコバ部２０および前側板部２５に塗布した後、左右大マチ部６、６に装着する。次いで、両側大マチ部６を含む補強芯板１５の外周面全体に天然皮革、人工皮革または布材などにより形成した表地４０や裏地４１をそれぞれ接着し、開口部周縁に帯片４２を取付け、該帯片と大マチ部５と補強芯板１５と表地４０や裏地４１をそれぞれ縫糸４３で縫着して形成してある。
【００２８】
以下、本考案の実施形態の作用について説明すると、ランドセル１の主収納部４の開口部５に取付ける補強芯板１５は、それぞれ可撓性を有する硬質合成樹脂材により大マチ部６に位置するマチ補強片１６と、前板部７に位置する前板補強片３５とからなり、マチ補強片１６は、大マチ部６に位置する肉厚部１８を有した側面板部１７と、該側面板部の一端背板側にコバ溝部２２を介して折り曲げ可能なコバ部２０を設け、側面板部１７の他端は、折曲溝部３０を介して前板部側に折曲げ可能な前側板部２５をそれぞれ一体に形成してある。
【００２９】
前記コバ部２０に設けたコバ溝部２２は、表面に段部２１を設けて薄手に形成し、且つ、該段部の裏側に設けたコバ溝部２２の壁面２３を鈍角に形成したことにより、コバ溝部２２を直角方向にスムースに変形させて折り曲げることができる。したがって、コバ部２０を背板３の端部（縫代部）への取付けを容易に行うことができ、縫着作業の効率化を図ることができる。
【００３０】
マチ補強片１６の側面板部１７と前側板部２５との間に設けた折曲溝部３０は、垂直方向に細幅の凹溝部３１を連設して薄手部分を形成し、各凹溝部３１の対向する両壁面または片側壁面３２を鈍角に形成することにより、折曲溝部３０が折れ曲がったとき各凹溝部３１の変形が容易で、且つ、開口部を広角に形成したことにより開口部が互いに接近して当たるのを防止することができる。したがって、折曲溝部３０をスムースに湾曲させることができるので大マチ部６と前板部７との角部に合わせて折り曲げることができる。
【００３１】
前板補強片３５は、ランドセル１の主収納部４を構成する前板部７に位置し、該前板部と縫着固定する薄手な縫代部３６を前板補強片３５の上方で一体に形成し、該縫代部の上縁を前記前板部７の稜線形状に合わせて中央を低く両側を高くなるように緩やかに湾曲させて形成することにより、前板部７との縫着を容易にすることができるので、ランドセル１の縫製作業の効率化を図ることができる。
【００３２】
前記したごとく、ランドセル１の主収納部４の開口部５周縁に三分割された補強芯板１５を使用して取付けることにより、大マチ部６の幅が従来型の１１０〜１２０ｍｍからいわゆるワイドランドセルの１３０ｍｍ幅であっても対応することができ、ランドセル１のサイズごとに補強片を揃える必要がなく部品点数を少なくすることができ経済的である。
【００３３】
また、マチ補強片１６の側面板部１７の上下幅を広く形成したことにより、大マチ部６の強度を増すことは勿論であるが、上下幅の広い側面板部１７の表地４０にバリエーションに富んだ任意形状の模様からなる装飾部３８を設けることにより、他のランドセルとの差別化を図ることができるので、消費者の購買意欲を増進させることができる。
【符号の説明】
【００３４】
１    ランドセル
２    ランドセル本体
３    背板
４    主収納部
５    開口部
６    大マチ部
７    前板部
８    副収納部
９    前ポケット部
１０  蓋板
１５  補強芯板
１６  マチ補強片
１７  側面板部
１８  肉厚部
１９  リブ部
２０  コバ部
２１  段部
２２  コバ溝部
２３  片側壁面
２５  前側板部
３０  折曲溝部
３１  凹溝部
３２  片側壁面
３５  前板補強片
３６  縫代部
３８  装飾部
【図１】
0003200688.tif 000003
【図２】
0003200688.tif 000004
【図３】
0003200688.tif 000005
【図４】
0003200688.tif 000006
【図５】
0003200688.tif 000007
【図６】
0003200688.tif 000008
【図７】
0003200688.tif 000009
【図８】
0003200688.tif 000010
【図９】
0003200688.tif 000011
【図１０】
0003200688.tif 000012
【図１１】
0003200688.tif 000013
【図１２】
0003200688.tif 000014
【図１３】
0003200688.tif 000015
【図１４】
0003200688.tif 000016
【手続補正書】
【提出日】平成27年8月25日(2015.8.25)
【手続補正１】
【補正対象書類名】図面
【補正対象項目名】図３
【補正方法】変更
【補正の内容】
【図３】
0003200688.tif 000017